(57)【特許請求の範囲】
【請求項１】
座部を昇降調整可能に構成した医療用診療台と、
医療実習用の擬似頭部模型と、
前記医療用診療台における背板の上部に対して前記擬似頭部模型を着脱自在に装着する着脱手段とで構成し、
前記座部に対する前記背板の起伏角度を調整可能に構成するとともに、前記背板の上部にヘッドレストを備え、
前記着脱手段を、
前記ヘッドレストと、前記擬似頭部模型とを交換可能に装着する交換装着手段で構成した
医療用実習装置。
【請求項２】
前記背板の上部に前記ヘッドレストを着脱自在に支持する診療台側支持軸を備え、
前記交換装着手段を、
前記ヘッドレストを取り外した前記診療台側支持軸に対して、前記擬似頭部模型を着脱自在に固定する交換固定手段で構成した
請求項１に記載の医療用実習装置。
【請求項３】
前記交換装着手段に、
固定状態における前記診療台側支持軸に対する前記擬似頭部模型の不用意な回転を防止する回り止め手段を備えた
請求項２に記載の医療用実習装置。
【請求項４】
前記ヘッドレストを、前記背板の上部に装着された基台部と、該基台部の前面に対して脱着可能に構成したパッド部とで構成し、
前記交換装着手段を、
前記パッド部を取り外した前記基台部に対して、前記擬似頭部模型を着脱自在に固定する交換固定手段で構成した
請求項１に記載の医療用実習装置。
【請求項５】
前記ヘッドレストに、前記背板に対してヘッドレスト本体を支持固定するヘッドレスト側支持軸を備えるとともに、
前記背板の上部に、前記ヘッドレスト側支持軸の着脱自在な装着を許容する支持軸挿着部を備え、
前記ヘッドレスト側支持軸を取り外した前記支持軸挿着部に対して、着脱自在に挿着固定する挿着支持軸を前記擬似頭部模型に備え、
前記交換装着手段を、
前記挿着支持軸で構成した
請求項１に記載の医療用実習装置。
【請求項６】
擬似頭部模型本体と、
座部を昇降調整可能に構成した医療用診療台における、前記座部に対する起伏角度を調整可能に構成する背板の上部に対して着脱自在に備えたヘッドレストを取り外して、前記擬似頭部模型本体を装着する模型側交換装着手段とで構成した
擬似頭部模型。
【請求項７】
前記背板の上部に前記ヘッドレストを着脱自在に支持する診療台側支持軸を備え、
前記模型側交換装着手段を、
前記ヘッドレストを取り外した前記診療台側支持軸に対して、前記擬似頭部模型本体を着脱自在に固定する模型側交換固定手段で構成した
請求項６に記載の擬似頭部模型。
【請求項８】
前記模型側交換装着手段に、
固定状態における前記診療台側支持軸に対する前記擬似頭部模型本体の不用意な回転を防止する模型側回り止め手段を備えた
請求項７に記載の擬似頭部模型。
【請求項９】
前記ヘッドレストを、前記背板の上部に装着された基台部と、該基台部の前面に対して脱着可能に構成したパッド部とで構成し、
前記模型側交換装着手段を、
前記パッド部を取り外した前記基台部に対して、前記擬似頭部模型本体を着脱自在に固定する模型側交換固定手段で構成した
請求項６に記載の擬似頭部模型。
【請求項１０】
前記ヘッドレストに、前記背板に対してヘッドレスト本体を支持固定するヘッドレスト側支持軸を備えるとともに、
前記背板の上部に、前記ヘッドレスト側支持軸の着脱自在な装着を許容する支持軸挿着部を備え、
前記模型側交換装着手段を、
前記擬似頭部模型本体に備え、前記ヘッドレスト側支持軸を取り外した前記支持軸挿着部に対して、着脱自在に挿着固定する挿着支持軸で構成した
請求項６に記載の擬似頭部模型。
【請求項１１】
座部を昇降調整可能に構成した医療用診療台であって、
前記医療用診療台において前記座部に対して起伏角度を調整可能に構成する背板の上部において、
医療実習用の擬似頭部模型を着脱自在に装着する診療台側着脱手段と、
ヘッドレストとを備え、
前記診療台側着脱手段を、
前記ヘッドレストと、前記擬似頭部模型とを交換可能に装着する診療台側交換装着手段で構成した
医療用診療台。
【請求項１２】
前記背板の上部に前記ヘッドレストを着脱自在に支持する診療台側支持軸を備え、
前記診療台側交換装着手段を、
前記ヘッドレストを取り外した前記診療台側支持軸に対して、前記擬似頭部模型を着脱自在に固定する診療台側交換固定手段で構成した
請求項１１に記載の医療用診療台。
【請求項１３】
前記診療台側交換装着手段に、
固定状態における前記診療台側支持軸に対する前記擬似頭部模型の不用意な回転を防止する診療台側回り止め手段を備えた
請求項１２に記載の医療用診療台。
【請求項１４】
前記ヘッドレストを、前記背板の上部に装着された基台部と、該基台部の前面に対して脱着可能に構成したパッド部とで構成し、
前記診療台側交換装着手段を、
前記パッド部を取り外した前記基台部に対して、前記擬似頭部模型を着脱自在に固定する診療台側交換固定手段で構成した
請求項１１に記載の医療用診療台。
【請求項１５】
前記ヘッドレストに、前記背板に対してヘッドレスト本体を支持固定するヘッドレスト側支持軸を備えるとともに、
前記背板の上部に、前記ヘッドレスト側支持軸の着脱自在な装着を許容する支持軸挿着部を備え、
前記診療台側交換装着手段を、前記支持軸挿着部で構成し、
前記ヘッドレスト側支持軸を取り外した前記支持軸挿着部は、前記擬似頭部模型に備えた挿着支持軸の着脱自在な挿着固定を許容するように構成した
請求項１１に記載の医療用診療台。
【請求項１６】
座部を昇降調整可能に構成し、医療用診療台における背板の上部にヘッドレストを備えた医療用診療台において、前記ヘッドレストを前記背板の上部から支持する支持軸であって、
前記ヘッドレストと、医療実習用の擬似頭部模型とを交換可能に装着する軸側交換装着手段を備えた
支持軸。
【請求項１７】
前記軸側交換装着手段に、
固定状態における診療台側支持軸に対する前記擬似頭部模型の不用意な回転を防止する軸側回り止め手段を備えた
請求項１６に記載の支持軸。
【請求項１８】
前記ヘッドレストを、前記座部に対して起伏角度を調整可能に構成した前記背板の上部に装着された基台部と、該基台部の前面に対して脱着可能に構成したパッド部とで構成し、
前記軸側交換装着手段を、
前記パッド部を取り外した前記基台部に対して、前記擬似頭部模型を着脱自在に固定する軸側交換固定手段で構成した
請求項１６に記載の支持軸。
【請求項１９】
前記背板の上部に備えた支持軸固定部に対して、着脱自在に固定する被固定部を備えた
請求項１６乃至１８のうちいずれかに記載の支持軸。
【発明の詳細な説明】
【技術分野】
【０００１】
本発明は、医療教育、特に歯科医療の教育において、切削等の実習教育に用いる医療用実習装置、擬似頭部模型、医療用診療台、及び支持軸に関する。
【背景技術】
【０００２】
近年、医療教育、特に歯科医療の教育では、擬似頭部模型等に植立させた歯牙に対して切削等を行うような実習教育が行われており、様々な医療用実習装置が提案されている。  
例えば、デスク状の実習台に、歯牙を植立した擬似頭部模型等を固定し、植立した歯牙に対して切削等の実習を行う場合がある。
【０００３】
この場合、多くの擬似頭部模型をセットすることにより、多くの実習生が実習することができるが、昇降する医療用診療台を用いた実際の診療とは、環境が異なり、つまり、実際の診療からかけ離れており、実際の診療の臨場感を再現できないため、実習教育として十分な効果を得ることが難しいと言われている。
【０００４】
また、学生同士が行なう相互実習は、デスク状の実習台では行なうことができないため、実習台とは別に医療用診療台等の設備を準備しなければならなかった。更に、それらの両方の設備を揃えるには、設置する場所も十分確保しなければならず、費用面でもかなりの負担となっていた。
【０００５】
このような問題に対し、トランク容器に収容可能かつ、トランク容器から外側向きに突出させることができる擬似頭部模型が提案されている（特許文献１参照）。  
この特許文献１に記載の擬似頭部模型は、トランク容器から外側に突出させた状態においてはトランク容器を患者の胴体として使用し、医療用診療台に固定することができる。したがって、実際の診療に近づけた臨場感のある状態を再現し、実習教育として十分な効果を得ることができるとされている。
【０００６】
しかしながら、擬似頭部模型をトランク容器に収容したり、擬似頭部模型をトランク容器から取り出して医療用診療台に固定するなどの取扱いが困難であったり、また実習に用いない場合には、上記擬似頭部模型を収容したトランク容器ごと保管することとなり、保管場所がかさばったりするため、利便性が低く、満足できるものではなかった。
【先行技術文献】
【特許文献】
【０００７】
【特許文献１】実公平６−２４８５３号公報
【発明の概要】
【発明が解決しようとする課題】
【０００８】
そこで本発明は、実際の診療に近づけた臨場感のある状態を再現した実習を行うことができるとともに、利便性の高い医療用実習装置、擬似頭部模型、医療用診療台、及び支持軸を提供することを目的とする。
【課題を解決するための手段】
【０００９】
この発明は、医療実習用の擬似頭部模型と、前記医療用診療台における背板の上部に対して前記擬似頭部模型を着脱自在に装着する着脱手段とで構成し、前記座部に対する前記背板の起伏角度を調整可能に構成するとともに、前記背板の上部にヘッドレストを備え、前記着脱手段を、前記ヘッドレストと、前記擬似頭部模型とを交換可能に装着する交換装着手段で構成した医療用実習装置、擬似頭部模型本体と、座部を昇降調整可能に構成した医療用診療台における、前記座部に対する起伏角度を調整可能に構成する背板の上部に対して着脱自在に備えたヘッドレストを取り外して、前記擬似頭部模型本体を装着する模型側交換装着手段とで構成した擬似頭部模型、あるいは座部を昇降調整可能に構成した医療用診療台であって、前記医療用診療台において前記座部に対して起伏角度を調整可能に構成する背板の上部において、医療実習用の擬似頭部模型を着脱自在に装着する診療台側着脱手段と、ヘッドレストとを備え、前記診療台側着脱手段を、前記ヘッドレストと、前記擬似頭部模型とを交換可能に装着する診療台側交換装着手段で構成した医療用診療台であることを特徴とする。
【００１０】
上述の背板の上部に対して前記擬似頭部模型を着脱自在に装着する着脱手段は、背板の上部あるいは背板の上部に備えたヘッドレストに対して前記擬似頭部模型を着脱する手段であり、背板の上部あるいは背板の上部に備えたヘッドレストに対して擬似頭部模型を着脱自在に固定する治具や、面ファスナ、ファスナ、あるいは吸盤や磁石のような吸着治具とすることができる。
【００１１】
この発明により、実際の診療に近づけた臨場感のある状態を再現した実習を行うことができるとともに、利便性の高い医療用実習装置、擬似頭部模型、及び医療用診療台を構成することができる。
【００１２】
また、擬似頭部模型を用いた実習と学生同士が行なう相互実習を１台の医療用実習装置で実現することができる。  
更には、開業や勤務をされている医師が日常の診療後に自己のスキルアップのためにトレーニングを行なう医療用実習装置としても使用することもできる。
【００１３】
詳しくは、座部を昇降調整可能に構成した医療用診療台における背板の上部に対して、医療実習用の擬似頭部模型を着脱自在に直接装着するため、実際の診療に近づけた臨場感のある状態を再現し、実習教育として十分な効果を得ることができる。
【００１４】
また、医療用診療台における背板の上部に対して、擬似頭部模型を着脱自在に直接装着するため、例えばトランクに収容して保管する場合と比べて、取り外した擬似頭部模型をコンパクトに保管することができる。
【００１５】
また、擬似頭部模型を、医療用診療台における背板の上部に対して容易に着脱できるため、取扱いが容易であり、利便性を向上することができる。さらに、擬似頭部模型を取り外した医療用診療台を通常の診療や学生同士の相互実習に用いることができる。したがって、利便性が高く、利用者の満足度を向上することができる。
【００１６】
また、前記座部に対する前記背板の起伏角度を調整可能に構成するとともに、前記背板の上部にヘッドレストを備え、前記着脱手段を、前記ヘッドレストと、前記擬似頭部模型とを交換可能に装着する交換装着手段で構成する、着脱自在に備えたヘッドレストを取り外して、前記擬似頭部模型本体を装着する模型側交換装着手段で構成する、あるいはヘッドレストと医療実習用の擬似頭部模型とを交換可能に装着する軸側交換装着手段を備えた支持軸とすることにより、実際の診療に近く、さらに臨場感のある実習を行うことができる。
【００１７】
詳しくは、前記着脱手段を、前記ヘッドレストと、前記擬似頭部模型とを交換可能に装着する交換装着手段で構成する、模型側着脱手段を模型側交換装着手段で構成する、診療台側着脱手段を診療台側交換装着手段で構成する、あるいはヘッドレストと擬似頭部模型とを交換可能に装着する軸側交換装着手段を備えた支持軸とすることにより、ヘッドレストを備えた医療用診療台での診療に近い環境を安全に再現することができる。
【００１８】
詳述すると、ヘッドレストと擬似頭部模型とを交換可能に装着することにより、例えば、ヘッドレストを備えた医療用診療台を用いて医療実習する際に、ヘッドレストに載せた患者頭部と同じような位置に擬似頭部模型を配置することができる。
【００１９】
また、ヘッドレストと交換して擬似頭部模型を支持軸に固定するため、前記座部に対する前記背板の起伏角度を調整した場合であっても、ヘッドレストと交換した擬似頭部模型が不用意に脱落したり、ずれたりすることなく、安全に実習を行うことができる。したがって、さらに臨場感のある実習を安全に行うことができる。
【００２０】
さらにまた、背板に対する角度を調節可能な角度調整機構を備えた支持軸でヘッドレストを支持する場合、ヘッドレストと交換した擬似頭部模型をヘッドレストと同様に、角度調整機構で背板に対する角度を調節することができる。
【００２１】
またこの発明の態様として、前記背板の上部に前記ヘッドレストを着脱自在に支持する診療台側支持軸を備え、前記交換装着手段を、前記ヘッドレストを取り外した前記診療台側支持軸に対して、前記擬似頭部模型を着脱自在に固定する交換固定手段で構成する、前記模型側交換装着手段を前記ヘッドレストを取り外した前記診療台側支持軸に対して、前記擬似頭部模型本体を着脱自在に固定する模型側交換固定手段で構成する、あるいは前記診療台側交換装着手段を前記ヘッドレストを取り外した前記診療台側支持軸に対して、前記擬似頭部模型本体を着脱自在に固定する診療台側交換固定手段で構成することができる。  
この発明により、ヘッドレストと擬似頭部模型とを支持軸に対して容易に交換してさらに臨場感のある実習を行うことができる。
【００２２】
またこの発明の態様として、前記交換装着手段、前記模型側交換装着手段、前記診療台側交換装着手段、あるいは前記軸側交換装着手段に、固定状態における前記診療台側支持軸に対する前記擬似頭部模型の不用意な回転を防止する回り止め手段、模型側回り止め手段、診療台側回り止め手段あるいは軸側回り止め手段を備えることができる。  
この発明により、例えば、ヘッドレストと交換した擬似頭部模型が不用意に回転することがなく、臨場感のある実習を安全に行うことができる。
【００２３】
またこの発明の態様として、前記ヘッドレストを、前記背板の上部に装着された基台部と、該基台部の前面に対して脱着可能に構成したパッド部とで構成し、前記交換装着手段を、前記パッド部を取り外した前記基台部に対して、前記擬似頭部模型を着脱自在に固定する交換固定手段で構成する、前記模型側交換装着手段を前記パッド部を取り外した前記基台部に対して、前記擬似頭部模型を着脱自在に固定する模型側交換固定手段で構成する、前記診療台側交換装着手段を前記パッド部を取り外した前記基台部に対して、前記擬似頭部模型を着脱自在に固定する診療台側交換固定手段で構成する、あるいは前記軸側交換装着手段を前記パッド部を取り外した前記基台部に対して、前記擬似頭部模型を着脱自在に固定する軸側交換固定手段で構成することができる。
【００２４】
この発明により、擬似頭部模型を取扱い容易、且つ安全に装着することができる。また、パッド部が使用により損傷しても容易に交換できるため、利便性が更に向上する。
【００２５】
またこの発明の態様として、前記ヘッドレストに、前記背板に対してヘッドレスト本体を支持固定するヘッドレスト側支持軸を備えるとともに、前記背板の上部に、前記ヘッドレスト側支持軸の着脱自在な装着を許容する支持軸挿着部を備え、前記ヘッドレスト側支持軸を取り外した前記支持軸挿着部に対して、着脱自在に挿着固定する挿着支持軸を前記擬似頭部模型に備え、前記交換装着手段、前記模型側交換装着手段、又は前記診療台側交換装着手段を前記挿着支持軸で構成する、あるいは支持軸固定部に対して、着脱自在に固定する被固定部を支持軸に備えることができる。
【００２６】
この発明により、擬似頭部模型を取扱い容易、且つ安全に装着することができる。また、例えば、ヘッドレストの支持軸に要求される機能と、擬似頭部模型の支持軸に要求される機能が異なる場合であっても、ヘッドレストと擬似頭部模型とを支持軸ごと交換するため、それぞれに応じた支持軸で背板に支持することができる。
【００２７】
また、支持軸固定部に対して、着脱自在に固定する被固定部を支持軸に備えることにより、支持軸固定部に固定する被固定部を備えていない支持軸と交換することで、ヘッドレストと擬似頭部模型等を交換して実習を行うことができる。
【発明の効果】
【００２８】
本発明により、実際の診療に近づけた臨場感のある状態を再現した実習を行うことができるとともに、利便性の高い医療用実習装置、擬似頭部模型、医療用診療台、及び支持軸を提供することができる。
【図面の簡単な説明】
【００２９】
【図１】医療用実習装置の斜視図による説明図。
【図２】医療用実習装置の一部拡大背面図による説明図。
【図３】医療用実習装置の一部拡大側面図による説明図。
【図４】角度調整ブロックについての説明図。
【図５】角度調整ブロックを装着した医療用実習装置の一部拡大側面図。
【図６】第２実施形態の医療用実習装置の斜視図による説明図。
【図７】第２実施形態の医療用実習装置の一部拡大背面図による説明図。
【図８】第２実施形態の医療用実習装置の拡大背面図及び一部拡大側面図による説明図。
【図９】第３実施形態の医療用実習装置の一部拡大背面図による説明図。
【図１０】第４実施形態の医療用実習装置の斜視図による説明図。
【図１１】第５実施形態の医療用実習装置の拡大背面図及び一部拡大側面図による説明図。
【図１２】第６実施形態の医療用診療台の一部拡大背面図及び一部拡大側面図による説明図。
【発明を実施するための形態】
【実施形態１】
【００３０】
以下、本発明による医療用実習装置１について、図１乃至５とともに説明する。  図１は医療用実習装置１の斜視図による説明図を示し、図２は医療用実習装置１の一部拡大背面図による説明図を示し、図３は医療用実習装置１の一部拡大側面図による説明図を示している。
【００３１】
詳しくは、図１（ａ）は擬似頭部模型３０を装着した状態の医療用実習装置１の斜視図を示し、図１（ｂ）はヘッドレスト２０を装着した状態の医療用実習装置１の部分斜視図を示している。
【００３２】
図２（ａ）はヘッドレスト２０を装着した状態の医療用実習装置１の一部拡大背面図を示し、図２（ｂ）はヘッドレスト２０を取り外した状態の医療用実習装置１の一部拡大背面図を示し、図２（ｃ）は擬似頭部模型３０を装着した状態の医療用実習装置１の一部拡大背面図を示している。
【００３３】
図３（ａ）はヘッドレスト２０を装着した状態の医療用実習装置１の一部拡大側面図を示し、図３（ｂ）はヘッドレスト２０を取り外した状態の医療用実習装置１の一部拡大側面図を示し、図３（ｃ）は擬似頭部模型３０を装着した状態の医療用実習装置１の一部拡大側面図を示している。
【００３４】
図４は角度調整ブロック１００についての説明図を示し、図５は角度調整ブロック１００を装着した医療用実習装置１の一部拡大側面図を示している。詳しくは、図４（ａ）は角度調整ブロック１００の上面側からの斜視図を示し、図４（ｂ）は角度調整ブロック１００の底面側からの斜視図を示している。
【００３５】
医療用実習装置１は、医療用診療台１０と、医療用診療台１０に備えたヘッドレスト２０と交換可能な擬似頭部模型３０とで構成している。  
医療用診療台１０は、図１に示すように、座部に対応する座部シート１２を昇降可能に支持する昇降基台１１と、昇降基台１１に支持された座部シート１２と、図示省略する起伏角度調整機構により座部シート１２に対して起伏角度を調整可能に構成した背板シート１３（背板に対応）と、背板シート１３の上部に配置されたヘッドレスト２０とで構成している。
【００３６】
ヘッドレスト２０は、支持軸４０によって背板シート１３に対して角度調整可能に支持され、基台部に対応するヘッドレスト基台部２２と、ヘッドレスト基台部２２に装着されたクッション性を有するクッションパッド部２１（パッド部に対応）とで構成している。
【００３７】
ヘッドレスト基台部２２の背面側の幅方向中央には、支持軸４０に固定する固定ネジ５０の螺入を許容するネジ穴（図示省略）と、支持軸４０に備えた回転止め孔４４に挿入する回転止め凸部２３を備えている。
【００３８】
診療台側支持軸部に対応する支持軸４０は、基端固定部４６が背板シート１３の上部における内部に固定され、上端にヘッドレスト２０や擬似頭部模型３０を装着固定する固定プレート４１を備えるとともに、基端固定部４６に対する固定プレート４１の角度を調整する、つまり背板シート１３に対する固定プレート４１の角度を調整する角度調整機構４５を備えている。
【００３９】
固定プレート４１は、固定プレート４１を貫通し、ヘッドレスト２０や擬似頭部模型３０を固定するための固定ネジ５０（模型側交換装着手段、模型側交換固定手段に対応する）の挿通を許容する挿通孔４２と、ヘッドレスト２０や擬似頭部模型３０の回転止め凸部２３，３３の挿通を許容する回り止め孔４４（診療台側回り止め手段、軸側回り止め手段に対応する）を有している。
【００４０】
なお、挿通孔４２は固定ネジ５０のネジ頭部の貫通を許容する径で形成するとともに、挿通孔４２の上部には、固定ネジ５０のネジ軸部が係合する係合凹部４３を有している。
【００４１】
擬似頭部模型３０は、患者の頭部を模し、歯牙を植立した顎模型３１ａを装着した擬似頭部模型本体３１と、支持軸４０に対して角度調整可能に擬似頭部模型本体３１を固定する固定金具３２とで構成している。固定金具３２には、回り止め孔４４に装着される回転止め凸部３３（模型側回り止め手段に対応する）を備えている。
【００４２】
なお、擬似頭部模型本体３１に装着する顎模型３１ａは、上顎模型と下顎模型とを組み合わせて構成し、上顎模型や下顎模型には、歯牙が１本毎に交換可能に植立している。したがって、切削実習をした際に消耗した歯牙を交換したり、虫歯や歯石を付けた特別な歯牙に交換したりすることができる。また、顎模型３１ａは、子供用の小さい模型や、歯牙が植立されていない無歯顎の模型にも交換可能に構成している。  
さらには、固定金具３２には、固定プレート４１を貫通した固定ネジ５０のネジ軸部の螺合を許容するネジ孔（図示省略）を有している。
【００４３】
このように、医療用診療台１０と、医療用診療台１０に備えたヘッドレスト２０と交換可能に構成した擬似頭部模型３０とで構成している医療用実習装置１は、ヘッドレスト２０と交換して、擬似頭部模型３０を医療用診療台１０に対して着脱自在に直接装着するため、実際の診療に近づけた臨場感のある状態を再現し、実習教育として十分な効果を得ることができる。
【００４４】
また、医療用診療台１０における背板シート１３の上部に対して、擬似頭部模型３０を着脱自在に直接装着するため、例えばトランクに収容して保管する場合と比べて、取り外した擬似頭部模型３０をコンパクトに保管することができる。
【００４５】
また、擬似頭部模型３０を、医療用診療台１０における背板シート１３の上部に対して容易に着脱できるため、取扱いが容易であり、利便性を向上することができる。さらに、擬似頭部模型３０を取り外した医療用診療台１０を通常の診療や学生同士の相互実習に用いることができる。したがって、利便性が高く、利用者の満足度を向上することができる。
【００４６】
さらに医療用診療台１０を、座部シート１２に対する背板シート１３の起伏角度を調整可能に構成しているため、背板シート１３の上部に備えたヘッドレスト２０と擬似頭部模型３０とを交換可能に装着することにより、ヘッドレスト２０を備えた医療用診療台１０での診療に近い環境を再現することができる。
【００４７】
詳述すると、ヘッドレスト２０と擬似頭部模型３０とを交換可能に装着することにより、例えば、ヘッドレスト２０を備えた医療用診療台１０を用いて医療実習する際に、ヘッドレスト２０に載せた患者頭部と同じような位置に擬似頭部模型３０を配置することができる。したがって、施術者（実習者）の実習姿勢を適切な姿勢とすることができる。
【００４８】
また、支持軸４０に、ヘッドレスト２０の背板シート１３に対する角度を調節可能な角度調整機構４５を備えているため、角度調整機構４５で背板シート１３に対する角度を調節することができる。したがって、さらに臨場感のある実習を行うことができる。
【００４９】
さらにまた、ヘッドレスト２０と交換して擬似頭部模型３０を支持軸４０に固定しているため、図示省略する起伏角度調整機構で、座部シート１２に対して背板シート１３の起伏角度を調整した場合であっても、ヘッドレスト２０と交換した擬似頭部模型３０が不用意に脱落したり、ずれたりすることなく、安全に実習を行うことができる。
【００５０】
また、支持軸４０の回り止め孔４４に挿通されるヘッドレスト２０の回転止め凸部２３や擬似頭部模型３０の回転止め凸部３３を備えたため、ヘッドレスト２０や擬似頭部模型３０が診療中や実習中に不用意に支持軸４０に対して回転することを防止でき、安全に診療や実習することができる。
【００５１】
さらに、支持軸４０に対して角度調整可能に、擬似頭部模型本体３１を固定する固定金具３２を備えているため、背板シート１３に対する擬似頭部模型本体３１の角度を調整することができ、さらに臨場感のある実習を行うことができる。
【００５２】
なお、図４及び図５に示すように、擬似頭部模型３０の固定金具３２と、支持軸４０の挿通孔４２との間に角度調整ブロック１００を介在させてもよい。  
角度調整ブロック１００は傾斜面１０１を有するブロックであり、固定プレート４１に傾斜面１０１を当接させた状態の角度調整ブロック１００を固定金具３２と挿通孔４２とで挟み込むようにして固定することにより、擬似頭部模型３０の装着固定状態における支持軸４０に対する擬似頭部模型３０の角度を調整することができる。
【００５３】
この場合、例えば、角度調整機構４５を備えない支持軸４０や、角度調整機能を有さない固定金具３２であっても、角度調整ブロック１００の傾斜面１０１による角度調整を行い、臨場感のある実習を実行することができる。
【００５４】
なお、上述の説明では、座部シート１２に対して背板シート１３が起伏角度を調整可能に構成しているが、座部シート１２に対して背板シート１３とが起伏できない一体構成の医療用診療台１０であってもよい。
【００５５】
また、上述説明では支持軸４０に回り止め孔４４を備えるとともに、ヘッドレスト２０や固定金具３２に回転止め凸部２３，３３を備え、回り止め孔４４に回転止め凸部２３，３３を挿入することで、支持軸４０に対するヘッドレスト２０や擬似頭部模型３０の回り止めを行っている。これに対し、擬似頭部模型３０の固定金具３２やヘッドレスト２０に固定プレート４１の差し込みを許容する差し込み凹部を構成して、支持軸４０に対するヘッドレスト２０や擬似頭部模型３０の回り止めを行ってもよい。
【実施形態２】
【００５６】
以下において、第２実施形態の医療用実習装置１について図６乃至８とともに説明する。  
なお、図６は第２実施形態の医療用実習装置１の斜視図による説明図を示し、図７は第２実施形態の医療用実習装置１の一部拡大背面図による説明図を示し、図８は第２実施形態の医療用実習装置１の拡大背面図及び一部拡大側面図による説明図を示している。
【００５７】
詳しくは、図６（ａ）は擬似頭部模型３０を装着した状態の第２実施形態の医療用実習装置１の斜視図を示し、図６（ｂ）はヘッドレスト２０ａのクッションパッド部２１を取り外した状態の第２実施形態の医療用実習装置１の部分斜視図を示している。
【００５８】
図７（ａ）はクッションパッド部２１を装着した状態の第２実施形態の医療用実習装置１の一部拡大背面図を示し、図７（ｂ）はクッションパッド部２１を取り外した状態の第２実施形態の医療用実習装置１の一部拡大背面図を示し、図７（ｃ）は擬似頭部模型３０を装着した状態の第２実施形態の医療用実習装置１の一部拡大背面図を示している。
【００５９】
図８（ａ）の左図はクッションパッド部２１を装着した状態の第２実施形態の医療用実習装置１の拡大背面図を示し、右図は同状態の一部拡大側面図を示している。また、図８（ｂ）の左図はクッションパッド部２１を取り外した状態の第２実施形態の医療用実習装置１の拡大背面図を示し、右図は同状態の一部拡大側面図を示している。また、図８（ｃ）の左図は擬似頭部模型３０を装着した状態の第２実施形態の医療用実習装置１の拡大背面図を示し、右図は同状態の一部拡大側面図を示している。
【００６０】
なお、以下で説明する第２実施形態の医療用実習装置１において、上述の第１実施形態の医療用実習装置１における構成と同じ構成については、同じ符号を付するとともに、詳細な説明を省略する。
【００６１】
第１実施形態の医療用実習装置１では、支持軸４０に対して固定ネジ５０で装着固定可能に構成したヘッドレスト２０及び擬似頭部模型３０を交換可能に構成したが、第２実施形態の医療用実習装置１は、ヘッドレスト２０ａを構成するヘッドレスト基台部２２と支持軸とが一体構成された基台部付支持軸４０ａを備え、ヘッドレスト基台部２２から取り外したクッションパッド部２１と、擬似頭部模型３０とを交換可能に構成している。
【００６２】
この場合、図８（ａ）のａ部拡大図に示すように、ヘッドレスト基台部２２の表面と擬似頭部模型３０の底面とに、ループ状面ファスナ６１とフック状面ファスナ６２とで構成する面ファスナ６０（着脱手段、交換装着手段に対応）を備えている。なお、ヘッドレスト基台部２２の表面と擬似頭部模型３０の底面とのどちらに、ループ状面ファスナ６１とフック状面ファスナ６２を備えてもよい。
【００６３】
なお、クッションパッド部２１の裏面にも、ヘッドレスト基台部２２のフック状面ファスナ６２（６１）に径合するループ状面ファスナ６１（６２）を備え、互いに係合させて、ヘッドレスト基台部２２にクッションパッド部２１を装着してもよいが、ネジ固定してもよい。
【００６４】
このように、基台部付支持軸４０ａに固定されたヘッドレスト基台部２２に対して、面ファスナ６０により着脱可能に装着するクッションパッド部２１と擬似頭部模型３０とを交換する第２実施形態の医療用実習装置１は、第１実施形態の医療用実習装置１による作用効果に加え、擬似頭部模型３０を取扱い容易、且つ安全に装着することができる。また、クッションパッド部２１が使用により損傷しても容易に交換できるため、利便性が更に向上する。
【実施形態３】
【００６５】
以下において、第３実施形態の医療用実習装置１について図９とともに説明する。  
なお、図９は第３実施形態の医療用実習装置１の一部拡大背面図による説明図を示している。詳しくは、図９（ａ）は支持軸付ヘッドレスト２０ｂを取り外した状態の第３実施形態の医療用実習装置１の一部拡大背面図を示し、図９（ｂ）は支持軸付擬似頭部模型３０ｂを装着する前の状態の医療用実習装置１の一部拡大背面図を示している。
【００６６】
なお、以下で説明する第３実施形態の医療用実習装置１において、上述の第１実施形態の医療用実習装置１における構成と同じ構成については、同じ符号を付するとともに、詳細な説明を省略する。
【００６７】
第３実施形態の医療用実習装置１は、第１実施形態のヘッドレスト２０と支持軸４０が一体構成された支持軸付ヘッドレスト２０ｂと、擬似頭部模型３０と支持軸４０とが一体構成された支持軸付擬似頭部模型３０ｂとを交換して、医療用診療台１０ｂの背板シート１３ｂの上部に形成した支持軸挿着凹部１４に挿着する構成である。
【００６８】
詳しくは、支持軸付ヘッドレスト２０ｂは、クッションパッド部２１とヘッドレスト基台部２２とで構成するヘッドレストのヘッドレスト基台部２２の背面に、固定プレート４１ｂが固定される態様で一体型支持軸４０ｂ（ヘッドレスト側支持軸に対応）と一体構成させている。
【００６９】
一体型支持軸４０ｂは、固定プレート４１ｂと、上述の角度調整機構４５と、挿着固定基部４６ｂとを上からこの順で配置している。挿着固定基部４６ｂは、縦方向の角部が面取された略四角柱状であり、後述する支持軸挿着凹部１４（支持軸挿着部に対応）に挿着された状態をロックするロック機構（図示省略）を備えている。
【００７０】
医療用診療台１０ｂの背板シート１３ｂの上部に形成した支持軸挿着凹部１４は、挿着固定基部４６ｂよりわずかに大きな空間を有する凹部であり、挿入された挿着固定基部４６ｂをしっかり固定することができる。
【００７１】
支持軸付擬似頭部模型３０ｂは、上述の擬似頭部模型３０と同様に擬似頭部模型本体３１と固定金具３２とで構成するとともに、固定金具３２に固定プレート４１ｂが固定されることで、上述の構成の一体型支持軸４０ｂ（挿着支持軸に対応）を一体構成している。
【００７２】
このように、支持軸付ヘッドレスト２０ｂと支持軸付擬似頭部模型３０ｂとを、医療用診療台１０ｂの支持軸挿着凹部１４に対して挿着して交換する第３実施形態の医療用実習装置１は、第１実施形態の医療用実習装置１による作用効果に加え、支持軸付擬似頭部模型３０ｂを取扱い容易、且つ安全に装着することができる。
【００７３】
また、例えば、支持軸付ヘッドレスト２０ｂの一体型支持軸４０ｂに要求される機能と、支持軸付擬似頭部模型３０ｂの一体型支持軸４０ｂに要求される機能が異なる場合であっても、ヘッドレスト２０と擬似頭部模型３０とを一体型支持軸４０ｂごと交換するため、それぞれに要求される機能を備えた一体型支持軸４０ｂで背板シート１３ｂに支持することができる。
【実施形態４】
【００７４】
以下において、第４実施形態の医療用実習装置１について図１０とともに説明する。  
なお、図１０は第４実施形態の医療用実習装置１の斜視図による説明図を示している。詳しくは、図１０（ａ）は擬似頭部模型３０を装着した状態の第４実施形態の医療用実習装置１の斜視図を示し、図１０（ｂ）は擬似頭部模型３０を装着する前の状態の第４実施形態の医療用実習装置１の部分斜視図を示している。
【００７５】
なお、以下で説明する第４実施形態の医療用実習装置１において、上述の第１実施形態の医療用実習装置１における構成と同じ構成については、同じ符号を付するとともに、詳細な説明を省略する。
【００７６】
第４実施形態の医療用実習装置１は、ヘッドレスト２０のクッションパッド部２１の表面と、擬似頭部模型３０の固定金具３２の底面に、ループ状面ファスナとフック状面ファスナとで構成し、面ファスナ６０（着脱手段に対応）を備えている。クッションパッド部２１の表面に擬似頭部模型３０を着脱自在に装着する医療用実習装置１では、ヘッドレスト２０のクッションパッド部２１の表面と、擬似頭部模型３０の固定金具３２の底面とのどちらに、ループ状面ファスナとフック状面ファスナを備えてもよい。
【００７７】
しかし、クッションパッド部２１の表面に、肌触りのよいループ状面ファスナ６１を備えることにより、擬似頭部模型３０を取り外した医療用診療台１０を通常の診療において用いる場合であっても、患者は肌触りの良いループ状面ファスナ６１に頭部を載せるため、違和感なく医療用診療台１０を用いることができる。
【００７８】
このように、ヘッドレスト２０に対して面ファスナ６０を用いて擬似頭部模型３０を着脱自在に装着する第４実施形態の医療用実習装置１は、第１実施形態の医療用実習装置１による作用効果に加え、擬似頭部模型３０を取扱い容易、且つ安全に装着することができる。
【実施形態５】
【００７９】
以下において、第５実施形態の医療用実習装置１について図１１とともに説明する。  
なお、図１１は第５実施形態の医療用実習装置１の拡大背面図及び一部拡大側面図による説明図を示している。詳しくは、図１１（ａ）の左図は擬似頭部模型３０を装着する前の状態の第５実施形態の医療用実習装置１の拡大背面図を示し、右図は同状態の一部拡大側面図を示している。また、図１１（ｂ）の左図は擬似頭部模型３０を装着した状態の第５実施形態の医療用実習装置１の拡大背面図を示し、右図は同状態の一部拡大側面図を示している。
【００８０】
また、以下で説明する第５実施形態の医療用実習装置１において、上述の第１実施形態の医療用実習装置１における構成と同じ構成については、同じ符号を付するとともに、詳細な説明を省略する。
【００８１】
第５実施形態の医療用実習装置１は、ヘッドレスト２０の表面に、擬似頭部模型３０の固定金具３２を着脱自在に固定する着脱固定金具７０（着脱手段に対応）を備えている。着脱固定金具７０は、図１１（ｂ）におけるａ部拡大図及びｂ部拡大図に示すように、ヘッドレスト２０の幅方向両端部に係止する両端係止部７１と、幅方向中央部において略Ｖ字状に形成した中央固定部７２とで構成している。
【００８２】
擬似頭部模型３０をヘッドレスト２０に装着するためには、両端係止部７１をヘッドレスト２０の幅方向両端に係止させてヘッドレスト２０にセットした着脱固定金具７０の中央固定部７２に、固定金具３２を接続して擬似頭部模型３０を装着する。
【００８３】
このように、ヘッドレスト２０に対して着脱固定金具７０を用いて擬似頭部模型３０を着脱自在に装着する第５実施形態の医療用実習装置１は、第１実施形態の医療用実習装置１による作用効果に加え、擬似頭部模型３０を取扱い容易、且つ安全に装着することができる。  
なお、着脱固定金具７０の中央固定部７２における角度を調整することにより、ヘッドレスト２０に対する擬似頭部模型３０の装着高さを調整することができる。
【実施形態６】
【００８４】
以下において、第６実施形態の医療用診療台１０について図１２とともに説明する。  
なお、図１２は第６実施形態の医療用診療台１０の一部拡大背面図及び一部拡大背面図による説明図を示している。  
詳しくは、図１２（ａ）は支持軸埋め込み式ヘッドレスト２０ｃを有する従来の医療用診療台１０ｃの一部拡大背面図を示し、図１２（ｂ）は同状態の一部拡大側面図を示し、図１２（ｃ）は支持軸４０を装着した状態の第６実施形態の医療用診療台１０の一部拡大背面図を示している。
【００８５】
なお、以下で説明する第６実施形態の医療用診療台１０において、上述の第１実施形態の医療用診療台１０における構成と同じ構成については、同じ符号を付するとともに、詳細な説明を省略する。
【００８６】
従来の医療用診療台１０ｃは、図１２（ａ），（ｂ）に示すように、先端部４７ｃを内部に埋め込んで支持軸とヘッドレストとが一体構成となるが支持軸埋め込み式ヘッドレスト２０ｃは、支持軸４０ｃの基端固定部４６ｃが医療用診療台１０ｃの背板シート１３の上部に埋め込まれて、装着されている。
【００８７】
この場合、上述の第４実施形態で説明した着脱固定金具７０を用いて擬似頭部模型３０を装着することはできるものの、ヘッドレスト２０と擬似頭部模型３０とを交換して装着することはできない。
【００８８】
支持軸４０ｃと一体構成した支持軸埋め込み式ヘッドレスト２０ｃを医療用診療台１０ｃから取り外し、固定プレート４１を有する支持軸４０の基端固定部４６を背板シート１３の内部に固定することで、支持軸埋め込み式ヘッドレスト２０ｃを有する医療用診療台１０ｃを、ヘッドレスト２０と擬似頭部模型３０とを交換できる支持軸４０を有する医療用診療台１０に改装し、上述の第１実施形態に示す医療用実習装置１を構成することができる。
【００８９】
なお、図１２では、固定プレート４１を有する支持軸４０を医療用診療台１０ｃに装着したが、ヘッドレスト２０のクッションパッド部２１が固定された基台部付支持軸４０ａを装着してもよく、この場合は第２実施形態の医療用実習装置１を構成することができる。
【００９０】
この発明の構成と、上述の実施形態との対応において、
この発明の座部は、座部シート１２に対応し、
以下同様に、
背板は、背板シート１３に対応し、
着脱手段は、第１実施形態の固定プレート４１に固定金具３２を固定する固定ネジ５０、第２実施形態のヘッドレスト基台部２２に固定金具３２を固定する面ファスナ６０、第３実施形態の支持軸挿着凹部１４に挿着する挿着固定基部４６ｂ、第４実施形態のヘッドレスト２０に擬似頭部模型３０を固定する面ファスナ６０、第５実施形態のヘッドレスト２０に擬似頭部模型３０を固定する着脱固定金具７０に対応し、
ヘッドレストは、ヘッドレスト２０，２０ａ，２０ｃ、支持軸付ヘッドレスト２０ｂに対応し、
交換装着手段及び交換固定手段は、第１実施形態の固定プレート４１に固定金具３２を固定する固定ネジ５０、第２実施形態のヘッドレスト基台部２２に固定金具３２を固定する面ファスナ６０、第３実施形態の支持軸挿着凹部１４に挿着する挿着固定基部４６ｂ、に対応し、
診療台側支持軸は、第１実施形態の支持軸４０、第２実施形態の基台部付支持軸４０ａに対応し、
回り止め手段は、第１実施形態の回り止め孔４４と回転止め凸部２３、第２実施形態の面ファスナ６０に対応し、
基台部は、ヘッドレスト基台部２２に対応し、
パッド部は、クッションパッド部２１に対応し、
ヘッドレスト側支持軸は、支持軸付ヘッドレスト２０ｂの一体型支持軸４０ｂに対応し、
支持軸挿着部は、支持軸挿着凹部１４に対応し、
挿着支持軸は、支持軸付擬似頭部模型３０ｂにおける挿着固定基部４６ｂを有する一体型支持軸４０ｂに対応し、
模型側着脱手段は、第１実施形態の固定金具３２、第２実施形態のループ状面ファスナ６１、第３実施形態の支持軸挿着凹部１４に挿着する挿着固定基部４６ｂ、第４実施形態の面ファスナ６０のフック状面ファスナ、第５実施形態の着脱固定金具７０に対応し、
模型側交換装着手段及び模型側交換固定手段は、第１実施形態の固定金具３２、第２実施形態のループ状面ファスナ６１、第４実施形態の面ファスナ６０のフック状面ファスナに対応し、
模型側回り止め手段は、第１実施形態の回転止め凸部３３、第２実施形態のループ状面ファスナ６１に対応し、
診療台側着脱手段、第１実施形態の固定プレート４１、第２実施形態のフック状面ファスナ６２、第３実施形態の挿着固定基部４６ｂを挿着する支持軸挿着凹部１４、第４実施形態の面ファスナ６０のフック状面ファスナ６２に対応し、
診療台側交換装着手段及び診療台側交換固定手段、並びに軸側交換固定手段は、第１実施形態の固定プレート４１、第２実施形態のフック状面ファスナ６２に対応し、
診療台側回り止め手段及び軸側回り止め手段は、第１実施形態の回り止め孔４４、第２実施形態のフック状面ファスナ６２に対応し、
支持軸は、支持軸４０、一体型支持軸４０ｂに対応し、
被固定部は、基端固定部４６に対応するが、この発明は、上述の実施形態の構成のみに限定されるものではなく、多くの実施の形態を得ることができる。
【００９１】
例えば、第４実施形態及び第５実施形態において、ヘッドレスト２０に対して擬似頭部模型３０を面ファスナ６０や着脱固定金具７０で装着したが、吸盤や磁石のような吸着治具を用いて、ヘッドレスト２０に対して擬似頭部模型３０を装着してもよい。
【産業上の利用可能性】
【００９２】
この発明は、擬似頭部模型と、医療用診療台とを用いるような様々な医療用実習装置として、医療教育、特に歯科医療の教育において用いることができる。
【符号の説明】
【００９３】
１…医療用実習装置
１０，１０ｂ，１０ｃ…医療用診療台
１２…座部シート
１３…背板シート
１４…支持軸挿着凹部
２０，２０ａ，２０ｃ…ヘッドレスト
２０ｂ…支持軸付ヘッドレスト
２１…クッションパッド部
２２…ヘッドレスト基台部
２３…回転止め凸部
３０…擬似頭部模型
３０ｂ…支持軸付擬似頭部模型
３１…擬似頭部模型本体
３２…固定金具
３３…回転止め凸部
４０…支持軸
４０ａ…基台部付支持軸
４０ｂ…一体型支持軸
４１…固定プレート
４４…回り止め孔
４６…基端固定部
４６ｂ…挿着固定基部
５０…固定ネジ
６０…面ファスナ
６１…ループ状面ファスナ
６２…フック状面ファスナ
７０…着脱固定金具
【図１】
0005757839.tif 000002
【図２】
0005757839.tif 000003
【図３】
0005757839.tif 000004
【図４】
0005757839.tif 000005
【図５】
0005757839.tif 000006
【図６】
0005757839.tif 000007
【図７】
0005757839.tif 000008
【図８】
0005757839.tif 000009
【図９】
0005757839.tif 000010
【図１０】
0005757839.tif 000011
【図１１】
0005757839.tif 000012
【図１２】
0005757839.tif 000013